(57)【要約】      （修正有）【課題】  折り戸の急激な閉鎖運動を緩和する緩衝具を扉体に組み込み、折り戸閉鎖時の衝撃を緩和して滑らかに閉じることのできる折り戸の開閉装置を提供する。【解決手段】  左右の扉体がセンターヒンジ２によって折畳み自在に連結され、且つセンターヒンジ２のスプリングにより左右の扉体が閉鎖位置に付勢された折り戸であって、扉体に緩衝具１０が設けられ、緩衝具１０は、センターヒンジの回動軸２ａと同軸上に配置された枢軸１２を介して回動可能に連結された左右の取付片１１ａ、１１ｂを含み、一方の取付片には、周面の一部に部分噛合歯１３ａを備え且つ枢軸と同軸的に配置された固定輪体１３が一体的に形成されており、他方の取付片には歯車１４を備えたロータリーダンパー１５が取り付けられ、扉体の閉鎖運動終端近傍において前記固定輪体の部分噛合歯１３ａがロータリーダンパーの歯車１４に噛み合って扉体の急激な閉鎖運動にブレーキをかける構造。【選択図】図１
2007303079.tif 000002
【特許請求の範囲】
【請求項１】
左右の扉体がセンターヒンジによって折畳み自在に連結され、少なくとも一方の扉体の端部に設けた滑走体がレールに滑動可能に装着され、且つセンターヒンジに組み込まれたスプリングにより左右の扉体が直線姿勢となる閉鎖位置に付勢されるようにした折り戸であって、前記扉体に緩衝具が設けられ、該緩衝具は、センターヒンジの回動軸と同軸上に配置された枢軸を介して回動可能に連結された左右の取付片を含み、取付片の一方が折り戸の一方の扉体に取り付けられ、他方の取付片が他方の扉体に取り付けられ、一方の取付片には、周面の一部に部分噛合歯を備え且つ前記枢軸と同軸的に配置された固定輪体が一体的に形成されており、他方の取付片には歯車を備えたロータリーダンパーが取り付けられ、前記ロータリーダンパーはオイルの粘性抵抗によって歯車の回動に制動力を生じせしめるローターを内蔵しており、更に扉体の閉鎖運動終端近傍において前記固定輪体の部分噛合歯がロータリーダンパーの歯車に噛み合って扉体の急激な閉鎖運動にブレーキをかけるように形成されており、該ロータリーダンバーによる制動トルクは前記センターヒンジのスプリングによる扉体閉じ力より小さく設定されている折り戸の開閉装置。
【請求項２】
前記緩衝具は扉体の上端面に取り付けられている請求項１に記載の折り戸の開閉装置。
【発明の詳細な説明】
【技術分野】
【０００１】
本発明は、折り戸の開閉装置に関するもので、殊に、折り戸の急激な閉鎖運動を緩和する緩衝具を備えた折り戸の開閉装置に関するものである。
【背景技術】
【０００２】
従来、折り戸を手で閉じるときに、閉鎖運動終端近傍において手を離しても、折り戸の左右の扉体を連結するセンターヒンジに組み込まれたスプリングの力により、強制的に左右の扉体が直線姿勢となる最終閉鎖位置までまで閉じるように形成されているのが一般的である。このようなセンターヒンジは、例えば特許文献１〜４で開示されている。
【特許文献１】特公昭５５−４７１９１号公報
【特許文献２】実開昭６３−１３４０８８号公報
【特許文献３】実公平０３−３０５４１号公報
【特許文献４】特開平０３ー２２８９８９号公報
【発明の開示】
【発明が解決しようとする課題】
【０００３】
しかし、センターヒンジに組み込まれたスプリングの力は、折り戸の閉鎖運動終端近傍位置において急激に作用するので、折り戸を閉じたときの衝撃により、振動や衝撃音が発生する等の問題点があった。
【０００４】
そこで本発明は、折り戸の閉鎖運動終端近傍において、前記スプリングによる折り戸の急激な閉鎖運動を緩和する緩衝具を折り戸の扉体に組み込むことにより、折り戸閉鎖時の衝撃を緩和して滑らかに閉じることのできる折り戸の開閉装置を簡単な構造で低コストで提供することを主たる目的とするものである。
【課題を解決するための手段】
【０００５】
上記目的を達成する為に本発明では次のような技術的手段を講じた。即ち、本発明に係る折り戸の開閉装置にあっては、左右の扉体がセンターヒンジによって折畳み自在に連結され、少なくとも一方の扉体の端部に設けた滑走体がレールに滑動可能に装着され、且つセンターヒンジに組み込まれたスプリングにより左右の扉体が直線姿勢となる閉鎖位置に付勢されるようにした折り戸であって、前記扉体に緩衝具が設けられ、該緩衝具は、センターヒンジの回動軸と同軸上に配置された枢軸を介して回動可能に連結された左右の取付片を含み、取付片の一方が折り戸の一方の扉体に取り付けられ、他方の取付片が他方の扉体に取り付けられ、一方の取付片には、周面の一部に部分噛合歯を備え且つ前記枢軸と同軸的に配置された固定輪体が一体的に形成されており、他方の取付片には歯車を備えたロータリーダンパーが取り付けられ、前記ロータリーダンパーはオイルの粘性抵抗によって歯車の回動に制動力を生じせしめるローターを内蔵しており、更に扉体の閉鎖運動終端近傍において前記固定輪体の部分噛合歯がロータリーダンパーの歯車に噛み合って扉体の急激な閉鎖運動にブレーキをかけるように形成されており、該ロータリーダンバーによる制動トルクはセンターヒンジのスプリングによる扉体閉じ力より小さく設定されている構成とした。
【発明の効果】
【０００６】
本発明は上記の如く構成されているので、折り戸を閉じる際に、閉鎖運動終端近傍において固定輪体の噛合歯がロータリーダンパーの歯車に噛み合って扉体の急激な閉鎖運動にブレーキがかかり、センターヒンジのスプリングによる折り戸の急激な閉鎖運動を緩和して、折り戸を滑らかに閉じることができ、衝撃による振動や衝撃音の発生を未然に防止することができると共に、ロータリーダンバーによる制動トルクはセンターヒンジのスプリングによる扉体閉じ力より小さく設定されているので、センターヒンジのスプリング力によって折り戸を確実に閉鎖位置に閉じることができ、加えて、緩衝具が扉体に取り付けるだけでよいから組み付けが容易であり低コストで提供できる、といった効果がある。
【発明を実施するための最良の形態】
【０００７】
図１〜図７は本発明にかかる折り戸の開閉装置の一実施例を示すものであって、符号１で折り戸を示す。この折り戸１は、図３並びに図４に示すように、センターヒンジ２によって折畳み可能に連結された左右一対の扉体１ａ、１ｂからなり、各扉体１ａ、１ｂはその遊端部上下面に滑走ピンにより形成された滑走体３が設けられ、この滑走体３が上下の框に取り付けられたレール５に沿って摺動するように形成されている。尚、図３並びに図４では上部のレール及び上部滑走体、並びに後述する緩衝具１０は表示されていない。また本実施例では、扉体１ｂの滑走体３がレール５に定着されるが、レール５に沿って滑走するようにしても差し支えない。
【０００８】
前記センターヒンジ２は、前記特許文献で開示されたセンターヒンジと同じように、左右の扉体１ａ、１ｂが直線姿勢となる閉鎖位置に閉じられる際に、その閉鎖運動終端近傍位置で、左右の扉体１ａ、１ｂを閉鎖位置に向かって強制するスプリング（図示せず）が組み込まれたものが使用される。このセンターヒンジの機構は上記特許文献等により広く知られた技術であるのでその詳細な説明は省略する。
【０００９】
本発明では、前記センターヒンジ２のスプリングによる扉体１ａ、１ｂの急激な閉鎖運動を緩和するために緩衝具１０が扉体１ａ、１ｂの上端に設けられている。
【００１０】
前記緩衝具１０は、センターヒンジ２の回動軸２ａと同軸上に配置された枢軸１２を介して回動可能に連結された左右の取付片１１ａ、１１ｂを含み、一方の取付片１１ａが折り戸１の一方の扉体１ａに取り付けられ、他方の取付片１１ｂが他方の扉体１ｂに取り付けられている。これにより、センターヒンジ２と同調して左右の取付片１１ａ、１１ｂが枢軸１２を支点として回動できるように構成されている。
更に、一方の取付片１１ａには、周面の一部に部分的な噛合歯１３ａを備え且つ前記枢軸１２と同軸的に配置された固定輪体１３が一体的に形成されており、他方の取付片１１ｂには歯車１４を備えたロータリーダンパー１５が取り付けられている。
【００１１】
前記ロータリーダンパー１５は、図８に示すように、充填されたシリコン等のオイルの粘性抵抗によって、直結した歯車１４の回動に制動力を生じせしめるローター１６を内蔵している。
【００１２】
また、扉体１ａ、１ｂの閉鎖運動終端近傍において、前記固定輪体１３の噛合歯１３ａがロータリーダンパー１５の歯車１４に噛み合って扉体１ａ、１ｂの急激な閉鎖運動にブレーキをかけるように形成されている。尚、該ロータリーダンバー１５による歯車１４の制動トルクは前記センターヒンジ２のスプリングによる扉体閉じ力より小さく設定されている。
【００１３】
上記の構成において、図４並びに図５の折り戸折り畳み姿勢（開放位置）から折り戸１を閉じると、その閉鎖運動終端近傍において図６に示すように、固定輪体１３の部分噛合歯１３ａがロータリーダンパーの歯車１４に噛み合って扉体１ａ、１ｂの急激な閉鎖運動にブレーキがかかり、センターヒンジ２のスプリングによる折り戸１の急激な閉鎖運動を緩和して、折り戸１を滑らかに閉じることができる。また、ロータリーダンバー１０による制動トルクはセンターヒンジ２のスプリングによる扉体閉じ力より小さく設定されているので、センターヒンジ２のスプリング力によって折り戸１を確実に閉鎖位置に閉じることができる。
【００１４】
以上本発明の実施例について説明したが、本発明は必ずしもこれらの実施例構造のみに限定されるものでない。例えば、上記滑走体３をピンに代えてローラーとしてもよい。また前記緩衝具１０をセンターヒンジ２と一体的に組み込んで形成することも可能である。その他本発明ではその構成要件を備え、かつ本発明の目的を達成し、上記の効果を奏する範囲内において適宜改変して実施することができるものである。
【産業上の利用可能性】
【００１５】
本発明に係る折り戸の開閉装置は、建具や家具等の折り戸全般に利用することが可能である。
【図面の簡単な説明】
【００１６】
【図１】本発明に係る折り戸の開閉装置の一実施例を示すものであって要部の斜視図。
【図２】上記折り戸の閉鎖装置の要部分解斜視図。
【図３】上記折り戸の閉鎖位置を示す断面図。
【図４】上記折り戸の開放位置を示す断面図。
【図５】上記折り戸の開放位置を示す部分的な平面図。
【図６】上記折り戸の閉鎖過程を示す部分的な平面図。
【図７】上記折り戸の閉鎖位置を示す部分的な平面図。
【図８】本発明に於けるロータリーダンバーの構造を示す断面図。
【符号の説明】
【００１７】
１  折り戸
１ａ、１ｂ  扉体
２  センターヒンジ
２ａ  センターヒンジの回動軸
３  滑走体
５  レール
１０  緩衝具
１１ａ、１１ｂ  取付片
１２  取付片の枢軸
１３  固定輪体
１３ａ  部分噛合歯
１４  歯車
１５  ロータリーダンパー
１６  ローター
【図１】
2007303079.tif 000003
【図２】
2007303079.tif 000004
【図３】
2007303079.tif 000005
【図４】
2007303079.tif 000006
【図５】
2007303079.tif 000007
【図６】
2007303079.tif 000008
【図７】
2007303079.tif 000009
【図８】
2007303079.tif 000010